(57)【要約】【課題】別の庇パラペットに交換する際の作業効率を上げることができる庇パラペットの取り付け構造を提供する。【解決手段】屋根材の軒先の下方に配置された梁には、複数のアーム１０３が前方へ延設されており、各アーム１０３の先端部には、それぞれ固定ブラケット１０４が固定されている。これらの固定ブラケット１０４に取り付けられている庇パラペット１０５を別の庇パラペット５に交換するときには、各固定ブラケット１０４に庇パラペット交換用ブラケット１を装着する。この庇パラペット交換用ブラケット１は、一対の板材と、それらを結合させた結合材（１２，１３）とを備え、固定ブラケット１０４を被覆可能で、且つ、別の庇パラペット５が取り付け可能に形成されている。【選択図】図５
2018100591.tif 000002
【特許請求の範囲】
【請求項１】
庇パラペットを別の庇パラペットに交換するときに使用される庇パラペットの取り付け構造において、
軒先に沿うように配置された梁から延設された複数のアームの先端部に固定された各々の固定ブラケットに装着される庇パラペット交換用ブラケットを備え、
前記庇パラペット交換用ブラケットは、
一対の板材と、それらを結合させた結合材とを備え、
前記固定ブラケットを被覆可能で、且つ、前記別の庇パラペットが取り付け可能に形成されていることを特徴とする庇パラペットの取り付け構造。
【発明の詳細な説明】
【技術分野】
【０００１】
本発明は、庇パラペットを交換する際に使用される庇パラペットの取り付け構造に関する。
【背景技術】
【０００２】
従来から建物の屋上等には、屋根材の軒先の鼻隠し部分に庇パラペットが設けられている（特許文献１参照）。軒先の下方には梁が軒先に沿うように配置されており、この梁には複数のアームが前方へ延設されている。庇パラペットは、この複数のアームの先端部にそれぞれ固定された複数の固定ブラケットを介して取り付けられている。
【先行技術文献】
【特許文献】
【０００３】
【特許文献１】特開２００２−１０６１２９号公報
【発明の概要】
【発明が解決しようとする課題】
【０００４】
しかしながら、固定ブラケットは庇パラペットの種類毎に専用のものが使用されており、庇パラペットを別の庇パラペットに交換するときには、固定ブラケットも別の庇パラペット専用のものに交換する必要がある。
【０００５】
そのため、庇パラペットの交換を行うときには、最初に庇パラペットを各固定ブラケットから取り外し、各固定ブラケットを各アームから取り外す。次に、別の庇パラペット専用の固定ブラケットを各アームにそれぞれ取り付け、これらの固定ブラケットに別の庇パラペットを取り付けることになる。
【０００６】
したがって、各固定ブラケットを各アームから取り外したり取り付けたりする面倒な作業が発生するために庇パラペットの交換作業の作業効率が良くない。
【０００７】
そこで、作業効率を上げるために、各固定ブラケットに対して、その形状に関係なく装着することができ、且つ、別の庇パラペットが取り付け可能なブラケット（庇パラペット交換用ブラケット）を使用することが検討されている。
【０００８】
本発明は、このような従来の課題に鑑みてなされたものであり、別の庇パラペットに交換する際の作業効率を上げることができる庇パラペットの取り付け構造を提供することを目的とする。
【課題を解決するための手段】
【０００９】
本発明者等は、鋭意研究の結果、前記課題を解決するために以下のような庇パラペット交換用ブラケット、庇パラペットの取り付け構造、庇パラペットの交換方法を採用した。
【００１０】
本発明の庇パラペット交換用ブラケットは、屋根材の軒先の下方に当該軒先に沿うように梁が配置され、当該梁から複数のアームが前方へ延設され、各アームの先端部に固定ブラケットが固定され、これらの固定ブラケットに取り付けられている庇パラペットを別の庇パラペットに交換するときに各々の固定ブラケットに装着される庇パラペット交換用ブラケットであって、前記固定ブラケットを被覆可能で、且つ、前記別の庇パラペットが取り付け可能に形成されたことを特徴とする。
【００１１】
また、本発明の庇パラペット交換用ブラケットは、その内部に、前記固定ブラケットを挿入させて収容することにより前記固定ブラケットを被覆可能な収容空間を備えることが好ましい。
【００１２】
また、本発明の庇パラペット交換用ブラケットは、前記固定ブラケットを被覆したときに前記固定ブラケットまたは前記アームの少なくとも一方に保持される保持部を備えることが好ましい。
【００１３】
また、本発明の庇パラペットの取り付け構造は、屋根材の軒先の下方に当該軒先に沿うように梁が配置され、当該梁から複数のアームが前方へ延設され、各アームの先端部に固定ブラケットが固定され、これらの固定ブラケットに取り付けられている庇パラペットを別の庇パラペットに交換するときに使用される庇パラペットの取り付け構造において、各固定ブラケットに装着される庇パラペット交換用ブラケットを備え、当該庇パラペット交換用ブラケットに、本発明の庇パラペット交換用ブラケットを用いたことを特徴とする。
【００１４】
また、本発明の庇パラペットの交換方法は、屋根材の軒先の下方に当該軒先に沿うように梁が配置され、当該梁から複数のアームが前方へ延設され、各アームの先端部に固定ブラケットが固定され、これらの固定ブラケットに取り付けられている庇パラペットを別の庇パラペットに交換するときに使用される庇パラペットの交換方法において、各固定ブラケットに本発明の庇パラペット交換用ブラケットをそれぞれ装着し、これらの庇パラペット交換用ブラケットに前記別の庇パラペットを取り付けることを特徴とする。
【００１５】
すなわち、庇パラペットの取り付け構造は、屋根材の軒先の下方に当該軒先に沿うように梁が配置され、当該梁から複数のアームが前方へ延設され、各アームの先端部に固定ブラケットが固定され、これらの固定ブラケットに取り付けられている庇パラペットを別の庇パラペットに交換するときに使用される庇パラペットの取り付け構造において、各々の固定ブラケットに装着される庇パラペット交換用ブラケットを備え、前記庇パラペット交換用ブラケットは、一対の板材と、それらを結合させた結合材とを備え、前記固定ブラケットを被覆可能で、且つ、前記別の庇パラペットが取り付け可能に形成されていることを特徴とする。
また、屋根材の軒先の下方に当該軒先に沿うように梁が配置され、当該梁から複数のアームが前方へ延設され、各アームの先端部に固定ブラケットが固定され、これらの固定ブラケットに取り付けられている庇パラペットを別の庇パラペットに交換するときに使用される庇パラペットの取り付け構造において、各々の固定ブラケットに装着される庇パラペット交換用ブラケットを備え、前記庇パラペット交換用ブラケットは、前記固定ブラケットを被覆可能で、且つ、前記別の庇パラペットが取り付け可能に形成されるとともに、前記固定ブラケットの上面に前記別の庇パラペットが載せられていることを特徴とする。
さらに、上記庇パラペットの取り付け構造において、前記一対の板材には、ビス止め用固定穴が設けられていることを特徴とする。
また、上記いずれかい記載の庇パラペットの取り付け構造において、前記庇パラペット交換用ブラケットは、その内部に、前記固定ブラケットを挿入させて収容することにより前記固定ブラケットを被覆可能な収容空間を備えていることを特徴とする。
さらに、上記いずれかに記載の庇パラペットの取り付け構造において、前記固定ブラケットを被覆したときに前記固定ブラケットまたは前記アームの少なくとも一方に保持される保持部を備えることを特徴とする。
また、上記庇パラペットの取り付け構造において、前記保持部は、前記アームと対応する位置に形成された切り欠きであることを特徴とする。
そして、庇パラペットの交換方法は、屋根材の軒先の下方に当該軒先に沿うように梁が配置され、当該梁から複数のアームが前方へ延設され、各アームの先端部に固定ブラケットが固定され、これらの固定ブラケットに取り付けられている庇パラペットを別の庇パラペットに交換するときに使用される庇パラペットの交換方法において、各固定ブラケットに、一対の板材と、それらを結合させた結合材とを備え、前記固定ブラケットを被覆可能で、且つ、前記別の庇パラペットが取り付け可能に形成された庇パラペット交換用ブラケットをそれぞれ装着し、これらの庇パラペット交換用ブラケットに前記別の庇パラペットを取り付けることを特徴とする。
【発明の効果】
【００１６】
本発明では、庇パラペット交換用ブラケットを、固定ブラケットを被覆可能で、且つ、別の庇パラペットが取り付け可能になるように形成した。これにより別の庇パラペットを取り付けるときには、庇パラペットを各固定ブラケットから取り外し、各固定ブラケットに庇パラペット交換用ブラケットを装着し、これらの庇パラペット交換用ブラケットに別の庇パラペットを取り付けることになる。
【００１７】
したがって、庇パラペット交換用ブラケットを使用することにより、固定ブラケットの種類に関係なく別の庇パラペットを取り付けることが可能になるので、各固定ブラケットを各アームから取り外したり取り付けたりする面倒な作業が発生しない。よって、本発明は、別の庇パラペットに交換する際の作業効率を上げることができる。
【図面の簡単な説明】
【００１８】
【図１】本発明の第１の実施の形態の庇パラペットの交換後の軒先構造の断面図である。
【図２】同実施の形態の庇パラペットの交換前の軒先構造の斜視図である。
【図３】同実施の形態の庇パラペット交換用ブラケット、固定ブラケット、アームの斜視図である。
【図４】同実施の形態の庇パラペットの交換方法を示すフローチャートである。
【図５】同実施の形態の庇パラペットの交換方法を示す説明図である。
【図６】本発明の第２の実施の形態の庇パラペットの交換前の軒先構造の斜視図である。
【図７】同実施の形態の庇パラペット交換用ブラケット、固定ブラケット、アームの斜視図である。
【図８】同実施の形態の庇パラペットの交換方法を示す説明図である。
【図９】本発明の第３の実施の形態の庇パラペットの交換前の軒先構造の斜視図である。
【図１０】同実施の形態の庇パラペット交換用ブラケット、固定ブラケット、アームの斜視図である。
【図１１】同実施の形態の庇パラペットの交換方法を示す説明図である。
【発明を実施するための形態】
【００１９】
以下、本発明の実施の形態を図にしたがって説明する。
【００２０】
（第１の実施の形態）
図１は、本発明の一実施の形態の軒先構造の断面図である。この軒先構造は、庇パラペットの交換後を示すものである。ここでは、軒先構造の全体的な構成を説明する。この軒先構造は、建物の上部に設けられた屋根材１０１の軒先の下方に梁１０２が軒先に沿うように配置されている。梁１０２には、複数のアーム１０３の後端部が固定されている。
【００２１】
複数のアーム１０３は、梁１０２と平行に並んで配置されており、それぞれ梁１０２から前方へ延びて形成されている。各アーム１０３の先端部には、それぞれ固定ブラケット１０４が固定されている。これらの固定ブラケット１０４には、本発明の庇パラペット交換用ブラケット１を介して庇パラペット５が取り付けられている。この庇パラペット５は、交換後の新しい庇パラペット５である。
【００２２】
固定ブラケット１０４と梁１０２との間には、軒樋１０６が梁１０２と平行に配置されている。この軒樋１０６は、各アーム１０３の上面に取り付けられている。軒樋１０６の下部には縦樋１０７が接続されている。
【００２３】
アーム１０３の下面には、軒天井１０８が取り付けられている。庇パラペット１０５と梁１０２との間口には、カバー１０９が取り付けられている。このカバー１０９は、雪やゴミ等を受け止めて、雪やゴミ等が軒樋１０６内に入らないようにするものである。
【００２４】
図２は、庇パラペットの交換前の軒先構造の斜視図である。この軒先構造は、固定ブラケット１０４に直接庇パラペット１０５が取り付けられている。この庇パラペット１０５は、交換前の古い庇パラペット１０５であり、固定ブラケット１０４専用のものである。なお、固定ブラケット１０４の後面は、図１で示した固定ブラケット１０４よりも簡略化して示している。
【００２５】
次に、図２と図３を用いてアーム１０３と固定ブラケット１０４の構造を説明する。
【００２６】
アーム１０３は、前述したように梁１０２（図１参照）から前方へ延設され、左方に開口した断面コ字状の板状に形成されている。
【００２７】
具体的に説明するとアーム１０３は、垂直に延びる垂直部１０３ａと、垂直部１０３ａの上端から左方に水平に伸びる上水平部１０３ｂと、垂直部１０３ａの下端から左方に水平に伸びる下水平部１０３ｃとを備えている。
【００２８】
固定ブラケット１０４は、左側面でアーム１０３の先端部（前端部）に固定されている。この固定ブラケット１０４は板状に形成されている。
【００２９】
固定ブラケット１０４の前面１０４ｂは、上から順に、斜面１４１ｂ、湾曲面１４２ｂ、第１Ｌ字面１４３ｂ、第２Ｌ字面１４４ｂを備えている。
【００３０】
斜面１４１ｂは、固定ブラケット１０４の上面１０４ａの前端から下方へ延びて形成されている。湾曲面１４２ｂは、斜面１４１ｂの下端から前方且つ下方へ湾曲して形成されている。
【００３１】
第１Ｌ字面１４３ｂは、湾曲面１４２ｂの下端から後方且つ下方にＬ字状に屈曲して形成されている。第２Ｌ字面１４４ｂは、第１Ｌ字面１４３ｂの下端から後方且つ下方にＬ字状に屈曲して形成されている。
【００３２】
次に、図３を用いて本発明の庇パラペット交換用ブラケット１の構造を説明する。この庇パラペット交換用ブラケット１は、固定ブラケット１０４を前方から被覆可能に形成されている。さらに、この庇パラペット交換用ブラケット１は、図２の庇パラペット１０５とは別の種類の庇パラペット５（図１参照）を面接させることで取り付け可能に形成されている。
【００３３】
この庇パラペット交換用ブラケット１は、固定ブラケット１０４を後方側から内部に収容するように後方側が開口した箱状に形成されている。
【００３４】
また、この庇パラペット交換用ブラケット１は、左右に離間して配置された一対の板材１１，１１と、一対の板材１１，１１の上端と前端を結合する３つの結合部材（上結合部材１２、中間結合部材１３、下結合部材１４）とを備えている。
【００３５】
一対の板材１１，１１は、前後に延びる板状に形成されている。板材１１，１１の離間幅は、固定ブラケット１０４の左右幅よりも広く設定されている。一対の板材１１，１１は同じ形状に形成されている。各板材１１には、複数のビス止め用固定穴１１ｄが設けられている。
【００３６】
各板材１１の後端１１ｃには、アーム１０３と対応する位置に切り欠き１５が形成されている。この切り欠き１５は、後方へ開口したコ字状に形成され、固定ブラケット１０４の被覆時にアーム１０３の先端部を挿入させて先端部に保持されるようになっている。
【００３７】
つまり、この切り欠き１５は、本発明の保持部を構成している。具体的に説明すると、この切り欠き１５は、アーム１０３の先端部を挿入させたときに前面１５ａがアーム１０３の垂直部１０３ａの先端に当接し、上面１５ｂと下面１５ｃがアーム１０３の上水平部１０３ｂと下水平部１０３ｃを挟持してアーム１０３の先端部に保持される。
【００３８】
なお、切り欠き１５についてカッコ書きにした方は、右側の板材１１にあるため図示していない。以下の説明においても同様である。
【００３９】
また、各板材１１の前端１１ｂは、上から順に、上下延在部１１２ｂ、コ字部１１３ｂ、湾曲部１１４ｂを備えている。
【００４０】
上下延在部１１２ｂは、板材１１の上端１１ａの前端から下方へ延びて形成されている。コ字部１１３ｂは、上下延在部１１２ｂの下端から後方且つ下方にコ字状に屈曲して形成されている。湾曲部１１４ｂは、コ字部１１３ｂの下端から後方へ湾曲して形成されている。
【００４１】
３つの結合部材１２〜１４は板状に形成されている。上結合部材１２は、一対の板材１１，１１の上端１１ａ，１１ａを結合している。中間結合部材１３は、一対の板材１１，１１の上下延在部１１２ｂ，１１２ｂを結合している。下結合部材１４は、一対の板材１１，１１のコ字部１１３ｂ，１１３ｂの下部から湾曲部１１４ｂ，１１４ｂの上部にかけての部分を結合している。
【００４２】
庇パラペット交換用ブラケット１は、以上のように３つの結合部材１２〜１４が一対の板材１１，１１を結合していることにより、内部に固定ブラケット１０４を収容する収容空間１Ｓが形成されている。
【００４３】
また、庇パラペット交換用ブラケット１は、収容空間１Ｓに固定ブラケット１０４を収容した状態では、中間結合部材１３は固定ブラケット１０４の湾曲面１４２ｂの前側部１４２１ｂに当接するように形成されている。
【００４４】
また、上結合部材１２は、中間結合部材１３が固定ブラケット１０４の湾曲面１４２ｂの前側部１４２１ｂに当接した状態で、固定ブラケット１０４の湾曲面１４２ｂの上側部１４２２ｂに掛止して固定ブラケット１０４に保持されるように形成されている。
【００４５】
つまり、この上結合部材１２は、本発明の保持部を構成している。また、中間結合部材１３が固定ブラケット１０４の湾曲面１４２ｂの前側部１４２１ｂに当接した状態では、前述したように切り欠き１５がアーム１０３の先端部に保持される。
【００４６】
次に、図４と図５を用いて庇パラペットの交換方法を説明する。
【００４７】
（ステップＳ１、図５の（ａ）→（ｂ））
最初に、古い庇パラペット１０５を各固定ブラケット１０４から取り外す。続いて、各アーム１０３や各固定ブラケット１０４の点検を行い、必要であれば補修を行う。
【００４８】
（ステップＳ２、図５の（ｂ）→（ｃ））
次に、各固定ブラケット１０４に庇パラペット交換用ブラケット１を装着する。装着方法を具体的に説明すると、庇パラペット交換用ブラケット１の収容空間１Ｓに固定ブラケット１０４を挿入させて、固定ブラケット１０４の前側部１４２１ｂを中間結合部材１３に当てる。すると上結合部材１２は、固定ブラケット１０４の上側部１４２２ｂに掛止して固定ブラケット１０４に保持される。同時に、切り欠き１５はアーム１０３の先端部に保持される。
【００４９】
上記のように庇パラペット交換用ブラケット１を固定ブラケット１０４に保持した後に、庇パラペット交換用ブラケット１をビス（図示せず）で固定ブラケット１０４に固定する。この結果、庇パラペット交換用ブラケット１は、固定ブラケット１０４を被覆した状態となる。
【００５０】
（ステップＳ３、図５の（ｄ））
最後に、別の庇パラペット５を、各庇パラペット交換用ブラケット１と各固定ブラケット１０４に載せて取り付ける。
【００５１】
以上説明したように本実施の形態では、庇パラペット交換用ブラケット１を、固定ブラケット１０４を被覆可能で、且つ、別の庇パラペット５が取り付け可能になるように形成した。したがって、この庇パラペット交換用ブラケット１を使用することにより、固定ブラケット１０４の種類に関係なく別の庇パラペット５を取り付けることが可能になるので、各固定ブラケット１０４を各アーム１０３から取り外したり取り付けたりする面倒な作業が発生しない。よって、本実施の形態の庇パラペット交換用ブラケット１は、別の庇パラペット５に交換する際の作業効率を上げることができる。
【００５２】
また、庇パラペット交換用ブラケット１は、その内部に、固定ブラケット１０４を挿入させて収容することにより固定ブラケット１０４を被覆可能な収容空間１Ｓを備えた。これにより庇パラペット交換用ブラケット１は、収容空間１Ｓを備えていない場合に比べて、固定ブラケット１０４を容易に被覆することが可能になる。よって、本実施の形態の庇パラペット交換用ブラケット１は、別の庇パラペット５に交換する際の作業効率をさらに上げることができる。
【００５３】
また、庇パラペット交換用ブラケット１は、固定ブラケット１０４を被覆したときに固定ブラケット１０４とアーム１０３の双方に保持される保持部（上結合部材１２、切り欠き１５）を備えた。この保持部により庇パラペット交換用ブラケット１は、固定ブラケット１０４への装着位置が容易に決まる。よって、本実施の形態の庇パラペット交換用ブラケット１は、別の庇パラペット５に交換する際の作業効率をさらにいっそう上げることができる。
【００５４】
また、この庇パラペット交換用ブラケット１が使用される庇パラペット５の取り付け構造および庇パラペットの交換方法は、庇パラペット交換用ブラケット１による上記の効果と同様の効果を得ることができる。
【００５５】
（第２の実施の形態）
図６は、第２の実施の形態の庇パラペットの交換前の軒先構造の斜視図である。図７は、同実施の形態の庇パラペット交換用ブラケット１、固定ブラケット２０４、アーム１０３の斜視図である。本実施の形態では、第１の実施の形態と同様な部分には同じ符号を付し、異なる部分を中心にして説明する。
【００５６】
本実施の形態では、第１の実施の形態と比べて固定ブラケット２０４と交換前の庇パラペット２０５の構造が異なる。交換前の庇パラペット２０５は、固定ブラケット２０４専用のものである。ここでは、固定ブラケット２０４の構造を説明する。
【００５７】
固定ブラケット２０４は、左側面でアーム１０３の先端部に固定されている。この固定ブラケット２０４は板状に形成されている。
【００５８】
固定ブラケット２０４の前面２０４ｂは、上から順に、第１垂直面２４１ｂ、斜面２４２ｂ、第２垂直面２４３ｂ、第１コ字面２４４ｂ、第３垂直面２４５ｂ、第２コ字面２４６ｂ、湾曲面２４７ｂを備えている。
【００５９】
第１垂直面２４１ｂは、固定ブラケット２０４の上面２０４ａの前端から下方へ垂直に延びて形成されている。斜面２４２ｂは、第１垂直面２４１ｂの下端から前方且つ下方へ斜めに延びて形成されている。第２垂直面２４３ｂは、斜面２４２ｂの下端から下方へ垂直に延びて形成されている。
【００６０】
第１コ字面２４４ｂは、第２垂直面２４３ｂの下端から後方且つ下方にコ字状に屈曲して形成されている。第３垂直面２４５ｂは、第１コ字面２４４ｂの下端から下方へ垂直に延びて形成されている。第２コ字面２４６ｂは、第３垂直面２４５ｂの下端から後方且つ下方にコ字状に屈曲して形成されている。湾曲面２４７ｂは、第２コ字面２４６ｂの下端から後方側へ湾曲して形成されている。
【００６１】
また、図７に示すように本発明の庇パラペット交換用ブラケット１は、この固定ブラケット２０４に対しても前方から被覆可能に形成されている。具体的に説明すると、この庇パラペット交換用ブラケット１は、固定ブラケット２０４を後方側から内部に収容するように後方側が開口した箱状に形成されている。
【００６２】
また、この庇パラペット交換用ブラケット１は、収容空間１Ｓに固定ブラケット２０４を収容した状態では、中間結合部材１３が固定ブラケット２０４の第２垂直面２４３ｂに当接するように形成されている。
【００６３】
また、上結合部材１２は、中間結合部材１３が固定ブラケット２０４の第２垂直面２４３ｂに当接した状態で、固定ブラケット２０４の斜面２４２ｂに掛止して固定ブラケット２０４に保持されるように形成されている。
【００６４】
また、中間結合部材１３が固定ブラケット２０４の第２垂直面２４３ｂに当接した状態では、第１の実施の形態と同様に切り欠き１５がアーム１０３の先端部に保持される。
【００６５】
次に、図４と図８を用いて庇パラペットの交換方法を説明する。
【００６６】
（図４のステップＳ１、図８の（ａ）→（ｂ））
最初に、古い庇パラペット２０５を固定ブラケット２０４から取り外す。続いて、アーム１０３や固定ブラケット２０４の点検を行い、必要であれば補修を行う。
【００６７】
（図４のステップＳ２、図８の（ｂ）→（ｃ））
次に、固定ブラケット２０４に庇パラペット交換用ブラケット１を装着する。装着方法を具体的に説明すると、庇パラペット交換用ブラケット１の収容空間１Ｓに固定ブラケット２０４を入れて、固定ブラケット２０４の第２垂直面２４３ｂを中間結合部材１３に当てる。すると、上結合部材１２は、固定ブラケット２０４の斜面２４２ｂに掛止して固定ブラケット２０４に保持される。同時に、切り欠き１５はアーム１０３の先端部に保持される。
【００６８】
上記のように庇パラペット交換用ブラケット１を固定ブラケット２０４に保持した後に、庇パラペット交換用ブラケット１をビス（図示せず）で固定ブラケット２０４に固定する。この結果、庇パラペット交換用ブラケット１は、固定ブラケット２０４を被覆した状態となる。
【００６９】
（図４のステップＳ３、図８の（ｄ））
最後に、別の庇パラペット５を、各庇パラペット交換用ブラケット１と各固定ブラケット２０４に載せて取り付ける。
【００７０】
以上説明したように庇パラペット交換用ブラケット１は、固定ブラケット２０４を被覆可能に形成した。これにより別の庇パラペット５を取り付けるときには、庇パラペット交換用ブラケット１を使用することにより、固定ブラケット２０４の形状に左右されなくなる。したがって、上記で説明したように各固定ブラケット２０４を各アーム１０３から取り外したり取り付けたりする面倒な作業が発生しない。
【００７１】
よって、庇パラペット交換用ブラケット１は、固定ブラケット２０４の形状が第１の実施の形態の固定ブラケット１０４の形状と異なっていても、別の庇パラペット５に交換する際の作業効率を上げることができる。
【００７２】
また、庇パラペット交換用ブラケット１は、収容空間１Ｓを備えたことにより固定ブラケット２０４を容易に被覆することが可能になるので、別の庇パラペット５に交換する際の作業効率をさらに上げることができる。
【００７３】
また、庇パラペット交換用ブラケット１は、固定ブラケット２０４を被覆したときに固定ブラケット２０４とアーム１０３の双方に保持される保持部（上結合部材１２、切り欠き１５）を備えたことにより固定ブラケット２０４への装着位置が容易に決まるので、別の庇パラペット５に交換する際の作業効率をさらにいっそう上げることができる。
【００７４】
また、本実施の形態においても、庇パラペット交換用ブラケット１が使用される庇パラペット５の取り付け構造および庇パラペットの交換方法は、庇パラペット交換用ブラケット１による効果と同様の効果を得ることができる。
【００７５】
（第３の実施の形態）
図９は、第３の実施の形態の庇パラペットの交換前の軒先構造の斜視図である。図１０は、同実施の形態の庇パラペット交換用ブラケット１、固定ブラケット３０４、アーム１０３の斜視図である。本実施の形態では、第１の実施の形態と同様な部分には同じ符号を付し、異なる部分を中心にして説明する。
【００７６】
本実施の形態では、第１の実施の形態と比べて固定ブラケット３０４と交換前の庇パラペット３０５の構造が異なる。交換前の庇パラペット３０５は、固定ブラケット３０４専用のものである。ここでは、固定ブラケット３０４の構造を説明する。
【００７７】
固定ブラケット３０４は、左側面でアーム１０３の先端部に固定されている。この固定ブラケット３０４は板状に形成されている。
【００７８】
固定ブラケット３０４の前面３０４ｂは、上から順に、第１垂直面３４１ｂ、第１斜面３４２ｂ、水平面３４３ｂ、第２斜面３４４ｂ、第２垂直面３４５ｂ、コ字面３４６ｂ、屈曲面３４７ｂを備えている。
【００７９】
第１垂直面３４１ｂは、固定ブラケット３０４の上面３０４ａの前端から下方へ垂直に延びて形成されている。第１斜面３４２ｂは、第１垂直面３４１ｂの下端から前方且つ下方へ斜めに延びて形成されている。水平面３４３ｂは、第１斜面３４２ｂの下端から前方へ水平に延びて形成されている。
【００８０】
第２斜面３４４ｂは、水平面３４３ｂの前端から前方且つ下方へ斜めに延びて形成されている。第２垂直面３４５ｂは、第２斜面３４４ｂの下端から下方へ垂直に延びて形成されている。コ字面３４６ｂは、第２垂直面３４５ｂの下端から後方且つ下方にコ字状に屈曲して形成されている。屈曲面３４７ｂは、コ字面３４６ｂの下端から下方且つ後方に屈曲して形成されている。
【００８１】
また、図１０に示すように本発明の庇パラペット交換用ブラケット１は、この固定ブラケット３０４に対しても前方から被覆可能に形成されている。具体的に説明すると、この庇パラペット交換用ブラケット１は、固定ブラケット３０４を後方側から内部に収容するように後方側が開口した箱状に形成されている。
【００８２】
また、この庇パラペット交換用ブラケット１は、収容空間１Ｓに固定ブラケット３０４を収容した状態では、中間結合部材１３が固定ブラケット３０４の第２垂直面３４５ｂに当接するように形成されている。
【００８３】
また、上結合部材１２は、中間結合部材１３が固定ブラケット３０４の第２垂直面３４５ｂに当接した状態で、固定ブラケット３０４の第１斜面３４２ｂに掛止して固定ブラケット３０４に保持されるように形成されている。
【００８４】
また、中間結合部材１３が固定ブラケット３０４の第２垂直面３４５ｂに当接した状態では、第１の実施の形態と同様に切り欠き１５がアーム１０３の先端部に保持される。
【００８５】
次に、図４と図１１を用いて庇パラペットの交換方法を説明する。
【００８６】
（ステップＳ１、図１１の（ａ）→（ｂ））
最初に、古い庇パラペット３０５を固定ブラケット３０４から取り外す。続いて、アーム１０３や固定ブラケット３０４の点検を行い、必要であれば補修を行う。
【００８７】
（ステップＳ２、図１１の（ｂ）→（ｃ））
次に、固定ブラケット３０４に庇パラペット交換用ブラケット１を装着する。装着方法を具体的に説明すると、庇パラペット交換用ブラケット１の収容空間１Ｓに固定ブラケット３０４を挿入させて、固定ブラケット３０４の第２垂直面３４５ｂを中間結合部材１３に当てる。すると、上結合部材１２は、固定ブラケット３０４の第１斜面３４２ｂに掛止して固定ブラケット３０４に保持される。同時に、切り欠き１５はアーム１０３の先端部に保持される。
【００８８】
上記のように庇パラペット交換用ブラケット１を固定ブラケット３０４に保持した後に、庇パラペット交換用ブラケット１をビス（図示せず）で固定ブラケット３０４に固定する。この結果、庇パラペット交換用ブラケット１は、固定ブラケット３０４を被覆した状態となる。
【００８９】
（ステップＳ３、図１１の（ｄ））
最後に、別の庇パラペット５を庇パラペット交換用ブラケット１と固定ブラケット３０４に載せて取り付ける。
【００９０】
以上説明したように庇パラペット交換用ブラケット１は、固定ブラケット３０４を被覆可能に形成した。これにより別の庇パラペット５を取り付けるときには、庇パラペット交換用ブラケット１を使用することにより、固定ブラケット３０４の形状に左右されなくなる。したがって、上記で説明したように各固定ブラケット３０４を各アーム１０３から取り外したり取り付けたりする面倒な作業が発生しない。
【００９１】
よって、庇パラペット交換用ブラケット１は、固定ブラケット３０４の形状が第１の実施の形態の固定ブラケット１０４や第２の実施の形態の固定ブラケット２０４の形状と異なっていても、別の庇パラペット５に交換する際の作業効率を上げることができる。
【００９２】
また、庇パラペット交換用ブラケット１は、収容空間１Ｓを備えたことにより固定ブラケット３０４を容易に被覆することが可能になるので、別の庇パラペット５に交換する際の作業効率をさらに上げることができる。
【００９３】
また、庇パラペット交換用ブラケット１は、固定ブラケット３０４を被覆したときに固定ブラケット３０４とアーム１０３の双方に保持される保持部（上結合部材１２、切り欠き１５）を備えたことにより固定ブラケット３０４への装着位置が容易に決まるので、別の庇パラペット５に交換する際の作業効率をさらにいっそう上げることができる。
【００９４】
また、本実施の形態においても、庇パラペット交換用ブラケット１が使用される庇パラペット５の取り付け構造および庇パラペットの交換方法は、庇パラペット交換用ブラケット１による効果と同様の効果を得ることができる。
【００９５】
以上、本発明にかかる実施の形態を例示したが、これらの実施の形態は本発明の内容を限定するものではない。また、本発明の請求項の範囲を逸脱しない範囲であれば、各種の変更等は可能である。
【００９６】
例えば、上記の実施の形態の庇パラペット交換用ブラケット１では、固定ブラケット１０４（２０４、３０４）を被覆したときに固定ブラケット１０４（２０４、３０４）とアーム１０３の双方に保持される保持部（上結合部材１２、切り欠き１５）を備えた。
【００９７】
しかし、保持部は、固定ブラケット１０４（２０４、３０４）とアーム１０３の双方に必ずしも保持される必要はなく、施工状況に応じて、固定ブラケット１０４（２０４、３０４）とアーム１０３の少なくとも一方に保持されるものであれば良い。
【００９８】
また、上記の実施の形態の庇パラペット交換用ブラケット１では、固定ブラケット１０４（２０４、３０４）を前方から被覆するように形成したが、側方から被覆するように形成しても良い。
【産業上の利用可能性】
【００９９】
以上説明したように本発明では、別の庇パラペットに交換する際の作業効率を上げることができる。したがって、本発明を、庇パラペットの交換に係る技術分野で十分に利用することができる。
【符号の説明】
【０１００】
１    庇パラペット交換用ブラケット
１Ｓ    収容空間
５    別の庇パラペット
１２    上結合部材（保持部）
１５    切り欠き（保持部）
１０１    屋根材
１０２    梁
１０３    アーム
１０４    固定ブラケット
１０５    庇パラペット
２０４    固定ブラケット
２０５    庇パラペット
３０４    固定ブラケット
３０５    庇パラペット
【図１】
2018100591.tif 000003
【図２】
2018100591.tif 000004
【図３】
2018100591.tif 000005
【図４】
2018100591.tif 000006
【図５】
2018100591.tif 000007
【図６】
2018100591.tif 000008
【図７】
2018100591.tif 000009
【図８】
2018100591.tif 000010
【図９】
2018100591.tif 000011
【図１０】
2018100591.tif 000012
【図１１】
2018100591.tif 000013